(57)【要約】【解決手段】例示アプリケーションにおいて、開示された実施の形態に従う装置は、無線周波数信号を受信し、中間周波数信号を出力する。中間周波数信号内の画像成分のリジェクションは、画像リジェクトフィルタを用いて無線周波数信号を前処理する必要性なしに得られる。そのような装置は、また局部発振器の周波数変動に堅固な画像リジェクション性能を提示することができる。【選択図】図６
2004536471.tif 000002
【特許請求の範囲】
【請求項１】
下記を具備する変換器：
入力信号および直交信号対を受信し、前記入力信号および直交信号対に基づいて出力信号を形成するように構成され配置された画像リジェクトミクサ；および
第１の発振器信号および第２の発振器信号を受信し、前記直交信号対を形成するように構成され配置された直交信号発生器；
前記直交信号対の各々は前記第１の発振器信号および前記第２の発振器信号の両方に基づいている。
【請求項２】
前記画像リジェクトミクサは下記を具備する請求項１に記載する変換器：
前記直交信号対および前記入力信号に基づく信号のうちの一方を受信し、第１の混合された信号を出力するように構成され配置された第１ミクサ；および
前記直交信号対および前記入力信号に基づく信号のうちの他方を受信し、第２の混合された信号を出力するように構成され配置された第２ミクサ；
前記出力信号は前記第１および第２の混合された信号に基づく。
【請求項３】
前記画像リジェクトミクサは、前記第１および第２の混合された信号のうちの一方を受信し、位相シフトされた信号を出力するように構成され配置された位相シフタをさらに具備し、前記出力信号は前記位相シフトされた信号に基づく、請求項２に記載する変換器。
【請求項４】
前記位相シフタは多相フィルタを具備する、請求項３に記載の変換器。
【請求項５】
前記位相シフタは９０度の大きさを持つ位相シフトを実行するように構成され配置された、請求項３記載の変換器。
【請求項６】
前記画像リジェクトミクサはさらに、
前記第１の混合された信号を受信し、第１の位相シフトされた信号を出力するように構成され配置された第１の位相シフタと；
前記第２の混合された信号を受信し、第２の位相シフトされた信号を出力するように構成され配置された第２の位相シフタと；
を具備し、前記出力信号は前記第１および第２の位相シフトされた信号に基づく、請求項２に記載の変換器。
【請求項７】
前記第１および第２の位相シフトされた信号間の位相差の大きさは９０度である、請求項６に記載の変換器。
【請求項８】
前記第１および第２の位相シフタのうちの少なくとも１つは、多相フィルタを具備する、請求項７に記載の変換器。
【請求項９】
前記第１および第２の位相シフタのうちの少なくとも１つは、多相フィルタを具備する、請求項６に記載の変換器。
【請求項１０】
前記画像リジェクトミクサは、少なくとも前記第１の混合された信号に基づく信号および少なくとも前記第２の混合された信号に基づく信号を受信するように構成され配置された結合器をさらに具備する、請求項２に記載の変換器。
【請求項１１】
前記第１のミクサおよび前記第２のミクサはギルバートセル乗算器を具備する、請求項２に記載の変換器。
【請求項１２】
前記直交信号発生器は、前記第１の発振器信号および前記第２の発振器信号のうちの少なくとも一方の周波数の変化に堅固である、請求項１に記載の変換器。
【請求項１３】
前記直交信号対のうちの少なくとも一方は、前記第１の発振器信号の周波数および第２の発振器信号の周波数の合計および差分のうちの一方である、請求項１に記載の変換器。
【請求項１４】
前記直交信号対のうちの一方の周波数は前記直交信号対のうちの他方の周波数に等しい、請求項１３に記載の変換器。
【請求項１５】
前記入力信号の周波数は４００メガヘルツより大きい、請求項１に記載の変換器。
【請求項１６】
下記を具備する方法：
第１の発振器信号および第２の発振器信号を受信する；
前記第１の発振器信号および前記第２の発振器信号に基づいて直交信号対を形成する；
入力信号を受信する；および
前記入力信号および前記直交信号対に基づいて出力信号を形成する；
前記直交信号対の各々は前記第１の発振器信号および前記第２の発振器信号の両方に基づく。
【請求項１７】
前記直交信号対のうちの一方の周波数は、前記直交信号対のうちの他方の周波数に等しい、請求項１６に記載の方法。
【請求項１８】
前記直交信号対の周波数は、前記第１の発振器信号の周波数および前記第２の発振器信号の周波数の合計および差分のうちの一方である、請求項１７に記載の方法。
【請求項１９】
直交信号対を形成する工程は、位相差が、前記第１の発振器信号および前記第２の発振器信号のうちの少なくとも一方の変化に堅固である直交信号対を形成することを含む、請求項１６に記載の方法。
【請求項２０】
出力信号を形成する工程は、前記入力信号と同じ周波数を有するシフトされた信号対を形成することを含み、前記シフトされた入力信号対間の位相差は９０度である、請求項１６に記載の方法。
【請求項２１】
出力信号を形成する工程は、
前記入力信号を、前記直交信号対のうちの一方と混合し、第１の混合された信号を得る工程と；および
前記入力信号を、前記直交信号対のうちの他方と混合し、第２の混合された信号を得る工程と；
を含む、請求項１６に記載の方法。
【請求項２２】
出力信号を形成する工程は、前記第１の混合された信号および前記第２の混合された信号のうちの少なくとも一方に位相シフトを実行する工程をさらに含む、請求項２１に記載の方法。
【請求項２３】
位相シフトを実行する工程は、少なくとも４５度の大きさを持つ位相シフトを実行する工程を含む、請求項２２に記載の方法。
【請求項２４】
出力信号を形成する工程は、
前記第１の混合された信号に位相シフトを実行し、第１の位相シフトされた信号を得る工程と；および
前記第２の混合された信号に位相シフトを実行し、第２の位相シフトされた信号を得る工程と；
をさらに含む、請求項２１に記載の方法。
【請求項２５】
前記第１の位相シフトされた信号と前記第２の位相シフトされた信号との間の位相差の大きさは９０度である、請求項２４に記載の方法。
【請求項２６】
出力信号を形成する工程は、前記第１の位相シフトされた信号と前記第２の位相シフトされた信号を結合する工程を含む、請求項２４に記載の方法。
【請求項２７】
下記を具備する集積回路：
入力信号および直交信号対を受信し、前記入力信号および前記直交信号対に基づいて出力信号を形成するように構成され配置された画像リジェクトミクサ；および
第１の発振器信号および第２の発振器信号を受信し、前記直交信号対を形成するように構成され配置された直交信号発生器；
前記直交信号対の各々は前記第１の発振器信号および前記第２の発振器信号に基づく。
【請求項２８】
前記画像リジェクトミクサは、
前記直交信号対と、前記入力信号に基づく信号のうちの一方を受信し、第１の混合された信号を出力するように構成され配置された第１ミクサと；および
前記直交信号対と、前記入力信号に基づく信号のうちの他方を受信し、第２の混合された信号を出力するように構成され配置された第２ミクサと；
を具備し、前記出力信号は、前記第１の混合された信号および前記第２の混合された信号に基づく、請求項２７に記載の集積回路。
【請求項２９】
下記を具備する変換器：
第１の発振器信号および第２の発振器信号を受信し、周波数ωｇを持つ直交信号対を出力するように構成され配置された発生器；
前記直交信号対と、周波数ωｃに中心を持つ帯域幅を持つ搬送波に変調された情報信号を含む入力信号を受信し、出力信号を出力するように構成され配置された画像リジェクトミクサ；
前記直交信号対の各々は前記第１の発振器信号および前記第２の発振器信号の両方に基づき；
前記第１の発振器信号の周波数と前記第２の発振器信号の周波数の合計と差分のうちの少なくとも一方はωｇであり；および
前記出力信号は、周波数（ωｃ−ωｇ）および（ωｃ＋ωｇ）のうちの一方に中心を持つ帯域幅を持つ搬送波に変調された情報信号を含み；および
前記画像リジェクトミクサは、周波数（２ωｇ−ωｃ）を持つ前記入力信号内の成分を抑える。
【請求項３０】
前記画像リジェクトミクサはミクサ／位相シフタセクションを含み、前記ミクサ／位相シフタセクションは前記入力信号と前記直交信号対の一方を受信し、出力成分信号を形成し、前記出力信号は前記出力成分信号に基づく、請求項２９に記載の変換器。
【発明の詳細な説明】
【０００１】
［１００１］この出願は、２０００年１１月３日に出願した米国仮特許出願第６０／２４５，２３０（発明の名称：「画像リジェクトミクサを有した直交発生器」）の利益を主張する。
【０００２】
【発明の属する技術分野】
［１００２］この発明は、無線周波数（ＲＦ）信号の変換に関する。
【０００３】
【関連出願の記載】
［１００３］一般に、無線通信は、１つ以上のベースバンド情報信号を１つ以上の搬送波信号に変調すること、結果として得られる帯域通過信号（信号群）の送信、および受信器において１つ以上の情報信号を再生するために復調することからなる。近代の受信器は一般的にヘテロダイン技術を採用し、これには、入力ＲＦ信号をある都合の良い中間周波数（ＩＦ）にダウンコンバートまたはアップコンバートし、適切な検出器を用いてＩＦ信号を復調することを含む。ヘテロダイン受信器は容易に整調でき、高安定性を提供する。そのような受信器の入力周波数と出力周波数との間の差分も漂遊結合による自己発振からの高度の免疫性を供給する。さらに、搬送波周波数によりかなり低い固定周波数で動作可能なＩＦ段にのみ高Ｑフィルタを用いて隣接するチャネルリジェクション（ｃｈａｎｎｅｌ ｒｅｊｅｃｔｉｏｎ）を得ることができる。
【０００４】
［１００４］図１に示す基本ヘテロダイン変換回路を用いて、すべての種類の変調されたＲＦ信号を、ブロードキャスト帯域ＡＭ、ＦＭおよびテレビジョン信号；携帯電話または無線ローカルエリアネットワークにおけるようなネットワーク通信信号；衛星通信信号または測距信号；およびレーダ信号を含むＩＦに変換することができる。そのような回路において、ミクサは（例えばＲＦ増幅器から出力された）ＲＦ信号Ｓ１０を受信し、ローカル発振器５からの信号Ｓ２０と乗算し、ＩＦ信号を形成する。
【０００５】
［１００５］我々はＲＦ信号Ｓ１０の搬送波周波数をωｃであると定義し、局部発振器信号Ｓ２０の周波数をωＬＯと定義し、ＩＦ信号の所望の周波数をωＩＦ（すべてラジアン／秒で）と定義する。それゆえ、我々はＲＦ信号Ｓ１０をｃｏｓωｃｔと表すことができ、局部発振器信号Ｓ２０をｃｏｓωＬＯｔと表すことができ、所望のＩＦ信号をωｉｔ（ｔは秒で表される）と表すことができる。三角法の同一性を参照して、
ｃｏｓａｃｏｓｂ＝（１／２）［ｃｏｓ（ａ＋ｂ）＋ｃｏｓ（ａ−ｂ）］
ミクサの出力はダウンコンバートされた信号ｃｏｓ（ωＬＯ−ωｃ）ｔおよびアップコンバートされた信号ｃｏｓ（ωＬＯ＋ωｃ）ｔを含むであろうことがわかる。ＩＦフィルタはミクサの出力を受信する帯域通過フィルタであり、アップコンバートされた結果またはダウンコンバートされた結果のいずれかを選択する。どちらにしても、受信器の設計者により選択される。
【０００６】
［１００６］図２Ａおよび２Ｂはそれぞれ低側インジェクションおよび高側インジェクションを用いたヘテロダイン変換動作のグラフ説明図である。これらの動作において、我々はダウンコンバージョンが所望であると仮定する［すなわち、ωＩＦ＝｜（ωＬＯ−ωｃ）｜］今、ＲＦ信号Ｓ１０がωｃにおいて、所望の成分を含むだけでなく、周波数ωｉ＝２ωＬＯ−ωｃにおいて所望でない画像成分を含む場合について考える。両方の例において、画像成分も、ωＩＦにおいて所望のＩＦ信号を改悪するためにダウンコンバートするであろう。これらの図は基本ヘテロダイン設計の主要な弱点：画像干渉への感受性を図解する。そのような状況を防止するために、ヘテロダイン設計は通常、ミキシング前に何らかの画像成分を減衰させるために（例えば、図３に示すように）ミクサの上段に画像リジェクトフィルタを含む。
【０００７】
［１００７］残念なことに、画像リジェクトフィルタの必要性は無線通信装置のような装置のサイズとコストを大いに増大させるかもしれない。フィルタの設計要件に応じて、フィルタは物理的に大きく非常に高価かもしれない。ＩＦ周波数よりもむしろＲＦ周波数でフィルタを実現する必要性は、コスト、サイズ、および性能の観点から適当である部品を得ることの困難性をいっそう大きくするかもしれない。さらに、そのようなフィルタは一般に外部チップとして供給されるであろう。それにより制作費が増加し、ＲＦ／ＩＦチップ上に余分なピンを必要とし、基板スペースを消費する。そのような要件は、無線通信装置、特に携帯電話の分野においてサイズとコストを低減する増えている必要性に反する。
【０００８】
［１００８］図４はハートレー（Ｈａｒｔｌｅｙ）画像リジェクトミクサ１００のブロック図を示す。そのようなミクサは、画像リジェクトフィルタのより小型で廉価な代替品として（例えば図５に示す）ヘテロダイン変換回路に使用できるかもしれない。残念なことに、この手法のリジェクション性能は利得と位相の両方の点において、２つの信号路間の非常に近接したマッチングに高度に依存している。さらに注意深い製造条件下においても、そのような画像リジェクトミクサは限定された周波数帯域上でのみ良好な結果を得る。このような欠点は、高レベルの画像リジェクション（例えば３５−４０ｄＢより大きい）を必要とするアプリケーションに対して図５の構成を不適切なものにする。
【０００９】
【課題を解決するための手段】
［１００９］この発明の一実施の形態に従う変換器は画像リジェクトミクサおよび直交信号発生器を含む。直交信号発生器は第１および第２の発振信号を受信し、直交信号対を出力する。画像リジェクトミクサは直交信号対および入力信号に基づいて出力信号を形成する。そのような変換器の少なくともいくつかの実現において、直交信号対間の位相関係は、発振信号の少なくとも１つの周波数の変化に対して堅固である。
【００１０】
【発明の実施の形態】
［１０２９］図５に示す変換回路は画像リジェクトフィルタを含む変換回路に対してより小型で廉価な代替物になり得るけれども、局部発振器５の周波数変化に対する感受性に苦しむ。この感受性は位相シフタを駆動する信号の周波数変化に対して位相シフタ２０の非理想的な行為の結果である。特に、局部発振器信号Ｓ２０の周波数は（例えば、局部加熱、周囲温度の変化、電磁妨害、部品エージング等のために）ωＬＯからそれるので、位相シフタ２０により実行されるシフトは９０度から逸脱するかもしれない。回路製造中における変動もまた、局部発振器の出力に周波数誤差を生じさせるかもしれず、期待値からの位相関係の同様の逸脱を形成する。
【００１１】
［１０３０］他のどこか（例えば、Ｂｅｈｚａｄ Ｒａｚａｖｉ著「ＲＦマイクロエレクトロニクス」、Ｐｒｅｎｔｉｃｅ Ｈａｌｌ ＰＴＲ， Ｕｐｐｅｒ Ｓａｄｄｌｅ Ｒｉｖｅｒ， ＮＪ， １９９８， ＩＳＢＮ ０−１３−８８７５７１−５、５章、５．２節）に説明されているように、位相シフタ２０の出力における誤差は画像リジェクトミクサ１００が望まない画像成分をキャンセルすることを防止するかもしれず、それにより、望まない画像成分がＩＦ信号Ｓ３０に悪影響を及ぼすことを可能にする。ＲＦ信号Ｓ１０に画像成分が無い場合でも、誤差がＩＦ信号Ｓ３０に歪み（例えば位相歪み）を生じるかもしれない。局部発振器の周波数ドリフトおよび変動により寛容なヘテロダイン変換動作を得ることが望ましい。
【００１２】
［１０３１］図６はＲＦ信号を受信し、ＩＦ信号Ｓ１３０を出力するように構成され、配置されたこの発明の一実施の形態に従う変換器３００のブロック図を示す。変換器３００は画像リジェクトミクサ２００および、同相発生器信号Ｓ１４０および直交発生器信号Ｓ１５０（両方の信号は周波数ωｇを有する）を画像リジェクトミクサ２００に供給する直交発生器４００を含む。
【００１３】
［１０３２］図７は画像リジェクトミクサ２００の実現２００ａのブロック図である。この回路において、位相シフタ１１０は、図示するようにＲＦ信号Ｓ１１０を受信し、Ｉ信号およびＱ信号を出力する。これらのＩ信号およびＱ信号はＲＦ信号Ｓ１１０と同一周波数を有し、互いに同じ振幅を有し、位相が９０度ずれている（この例において、Ｑ信号の位相角はＩ信号の位相角未満の９０度（π／２ラジアン）である）。
【００１４】
［１０３３］図８は位相シフタ１１０の１つの可能な実現を示す。抵抗ＲとキャパシタンスＣの値は、少なくとも一部が、位相シフタに印加される入力信号の周波数に基づく。抵抗部品および容量部品から構成される多相フィルタも位相シフタとして使用してもよい。例えば、図９は２段シーケンス非対称多相フィルタを示す。特定のアプリケーションに対して位相シフタ構成の選択を案内できる因子は、挿入損失、位相誤差上の周波数シフトの影響、および製造中に遭遇する部品または材料パラメータの（例えばシート抵抗）の変化に対する回路の堅固性を含む。
【００１５】
［１０３４］ミクサ３０は位相シフタ１１０により出力されたＩ信号を受信し、ミクサ４０は対応するＱ信号を受信する。これらのミクサはギルバートセル乗算器、ダイオードまたはＭＯＳＦＥＴ受動ミクサおよび／または所望の周波数でミクサとして使用するのに適した他の回路を用いて製造することができる。図７に示すように、ミクサ３０および４０はまたそれぞれ同相発生器信号Ｓ１４０および直交発生器信号Ｓ１５０を受信する。これら２つの発生器信号は互いに同じ振幅と周波数を有するが、９０度位相がずれている（この例において、直交発生器信号Ｓ１５０の位相角は同相発生器信号Ｓ１４０の位相角未満の９０度（π／２ラジアン）である）。
【００１６】
［１０３５］結合器５０はミクサ出力の加法的結合を実行し、ＩＦ信号Ｓ１３０を形成する。低側インジェクションのためにそして結合器５０の極性を図７に示すようにするために、変換器３００は周波数ωＩＦ＝ωｃ−ωｇを有するＩＦ信号を形成する。他の実現において、位相シフタ１１０の出力間の９０度関係の方向、発生器信号Ｓ１４０およびＳ１５０の９０度関係の方向、および／または結合器５０の極性の一方または両方を逆にすることができる（例えば、その代わりにアップコンバージョン結果を選択するために）。
【００１７】
［１０３６］図１０は画像リジェクトミクサ２００の他の実現２００ｂのためのブロック図を示す。位相シフタ１２０はそれぞれＩ入力およびＱ入力に、ミクサ３０および４０により出力された信号を受信し、それらの間に９０度の位相シフトを生じさせる。この例において、位相シフタ１２０はＩ入力信号に対して、Ｑ入力信号に９０度の位相遅延を実行する。位相シフタ１２０は位相シフタ１１０に対して上述した技術と同様の技術を用いて実現可能である。例えば、図８の位相シフタを使用し、端末ＶｏＩおよびＶｏＱを入力として、Ｖｉを出力として使用する。
【００１８】
［１０３７］いくつかの他の形態の画像リジェクトミクサ２００が可能であり、特定の構成は、回路トポロジーおよび放射素子に対する部品の近似のような考察に基づいて選択することができる。図１１は位相シフタ１３０を含む画像リジェクトミクサ２００の他の実現２００ｃのためのブロック図を示す。この例において、位相シフタ１３０（これは位相シフタ１１０に対して上述した技術と同様の技術を用いて実現可能である）は９０度の位相遅延を実行する。この場合にダウンコンバージョン結果を得るために、結合器５２の１つの極性が（例えば図に示すように）反転される。図１２は位相シフタ３１０がミクサ４０により出力される信号を受信する画像リジェクトミクサの同様の実現２００ｄのためのブロック図を示す。
【００１９】
［１０３８］図１３は画像リジェクトミクサ２００の代わりの実現２００ｅを示す。この例において、位相シフタ１３０ａは、ミクサ３０により出力される信号に関して４５度（π／４ラジアン）の位相シフトを実行し、位相シフタ１３０ｂはミクサ４０により出力された信号に関して１３５度（５×π／４ラジアン）の位相シフトを実行する。他の実現において、位相シフトされた信号間の異なる位相関係は、一方のまたは両方の位相シフタが異なる位相シフトを形成するように構成することにより得ることができる。位相シフタ１３０ａおよび１３０ｂはおのおの位相シフタ１１０に対して上述した技術と同様の技術を用いて実現可能である。図１４は、各信号径路内において、位相シフタ１３０ａおよび１３０ｂをミクサ３０および４０の前に配置した画像リジェクトミクサ２００の同様の実現２００ｆのためのブロック図を示す。
【００２０】
［１０３９］（例えば図１３および１４に示すように）画像リジェクトミクサ２００に２つの位相シフタを使用することにより実現可能な１つの利点は、位相シフタの性能が、製造中および／または動作中に生じる変動に対して互いに追跡可能なことである。例えば、製造中に遭遇するプロセスのばらつきは、製造された位相シフタに１０度までの絶対誤差を生じるかもしれない。１つのかわりに２つの位相シフタを含むようにミクサを構成することにより、この絶対誤差はある程度補償することができ、２つの位相シフタの出力間の位相関係としてより正確な結果を得ることができる。
【００２１】
［１０４０］特定の周波数レンジに対して最適な位相シフト性能を持つように位相シフタを設計することが望ましいかもしれない。そのような場合、選択されるべき周波数においてよりも、拒絶されるべき周波数において最適な位相シフト性能を持つために、画像リジェクトミクサ２００に使用する位相シフタを設計することが望ましいかもしれない。例えば、図１１の低側インジェクションアプリケーションにおいて、選択された中間周波数においてよりもωｃ＋ωｇ（すなわち、結合器５２においてキャンセルされる周波数）において最適動作するように位相シフタ１３０を設計することが望ましいかもしれない。そのような設計の選択は一方において低減された信号の振幅と、他方において画像干渉の存在との間のトレードオフを表すかもしれない。
【００２２】
［１０４１］図１５はこの発明の他の実施の形態に従う変換器３１０のブロック図を示す。この例において、（例えば上述した実現に従う）画像リジェクトミクサ２００は直交信号発生器６００から発生器信号Ｓ１４０およびＳ１５０を受信する。直交信号発生器６００に加えて、直交発生器４００の実現４００ａは上位周波数発振器５２０および下位周波数発振器５３０を含む。上位周波数発振器５２０は、角周波数がここではωＵラジアン／秒として表される上位周波数発振器信号Ｓ１６０を出力し、下位周波数発振器５３０は、角周波数がここではωＬラジアン／秒として表される下位周波数発振器信号Ｓ１７０を出力する。直交信号発生器６００は２つの発振器信号Ｓ１６０およびＳ１７０を受信し、発生器信号Ｓ１４０およびＳ１５０を出力する。
【００２３】
［１０４２］図１６は、変換器３１０に使用するのに適した直交信号発生器（特に単側帯波直交信号発生器）のブロック図である。位相シフタ２１０および２２０（これは位相シフタ１１０と同様な方法で構成できる）は、それぞれ上位周波数発振器信号Ｓ１６０および下位周波数発振器信号Ｓ１７０を受信し、直交対をミクサ２３０−２６０（これも上述したように構成することができる）に与える。結合器２７０および２８０の入力に図１６に示す極性を用いた場合、同相発生器信号Ｓ１４０および（ωｇとして上に示される）直交発生器信号Ｓ１５０の周波数は（ωＵ−ωＬ）として表すことができる。図１７は直交信号発生器６００ｂの変わりの構造を示し、同相発生器信号Ｓ１４０および直交発生器信号Ｓ１５０の周波数は（ωＵ＋ωＬ）として表すことができる。直交信号発生器のためのいくつかの他の構造が可能である。
【００２４】
［１０４３］（例えば図１６または図１７に示すような）直交信号発生器の使用が変換器３１０に与える１つの利点は、同相発生器信号Ｓ１４０および直交発生器信号Ｓ１５０との間の位相関係が、上位周波数発振器信号Ｓ１６０および／または下位周波数発振器信号Ｓ１７０の周波数がドリフトする場合においても実質的に一定に維持されることである。この不変性は、（例えば、周囲温度の変化、部分加熱、部品のエージング、および／または電源の変動により）そのような周波数ドリフトが生じた場合でも、変換器３１０は高レベルの画像リジェクション性能を維持することが可能である。従って、周波数ドリフトの点から理想的とは言えないが、（コストまたは費やされるチップ面積のような）他の設計基準の点から好適な構造を一方のまたは両方の発振器５２０および５３０に用いて、所望の変換性能を、この発明の一実施の形態に従う変換器において得ることができる。
【００２５】
［１０４４］図１８はこの発明の一実施の形態に従う変換器３２０および２つの発振器、すなわち上位周波数発振器５５０および下位周波数発振器５６０を含むシステムのブロック図を示す。この構成は、１つ以上の発振器がすでに利用可能なアプリケーションに使用してもよい。例えば、ＲＦ信号Ｓ１０に加えて他のＲＦ信号を処理する受信器において、１つ以上の局部発振器が、上位周波数発振器５５０または下位周波数発振器５６０として使用するのにすでに利用可能である。
【００２６】
［１０４５］変換器３２０の例示アプリケーションにおいて、ＲＦ信号Ｓ１０は、１．５７５４２ＧＨｚの搬送波周波数を持つ全地球測位システム（ＧＰＳ）信号であり、上位周波数発振器５５０は携帯電話信号の受信に使用されるＵＨＦ局部発振器であり、および下位周波数発振器５６０は電圧制御発振器（ＶＣＯ）である。上位周波数発振器５５０はセルラ帯域アプリケーションに対して概算レンジ８００−１２００ＭＨｚ内の周波数を持つことが出来、ＰＣＳ（パーソナル移動通信システム）アプリケーションに対して概算レンジ１６００−２２００ＭＨｚの周波数を持つことができる。下位周波数発振器５６０の周波数は、所望のＧＰＳ  ＩＦ周波数（例えば１２０−２００ＭＨｚ）、同相発生器信号Ｓ１４０および直交発生器信号Ｓ１５０の所望の周波数、および画像リジェクトミクサ２００に使用される特定の構成のような因子に基づいて選択可能である。（例えばセルラアプリケーションとＰＣＳアプリケーションを切り替えるために）上位周波数発振器５５０の周波数が変化するかもしれない場合、下位周波数発振器５６０の出力周波数も（例えば上位周波数発振器の切換とともに）切換可能である。
【００２７】
［１０４６］記載した実施の形態の前述の提示は、当業者がこの発明を製造または使用可能なように提供される。これらの実施の形態に対する種々の変更が可能であり、ここに提示された包括的原理は同様に他の実施の形態に適用可能である。例えば、この発明の実施の形態は、その一部または全部をハードワイヤード回路として、または単独で、または他のアナログ回路および／またはデジタル回路と組み合わせて、特定用途向け集積回路に製造された回路構成として実現してもよい。同様に、他の実施の形態は、その一部または全部が不揮発性記憶にロードされたファームウエアプログラムとして、またはデータ記憶媒体からまたはデータ記憶媒体に機械読み出し可能なコードとしてロードされたソフトウエアプログラムとして実現可能である。そのようなコードはマイクロプロセッサまたは他のデジタルシグナルプロセッシング装置のような論理素子のアレイにより実行可能な命令である。
【００２８】
［１０４７］さらに受信アプリケーションが記載されたが、この発明の実施の形態は送信アプリケーションにも同様に使用可能である。さらに、この発明の実施の形態は、例示実現の記載において示したかもしれない特定の構成技術または周波数に限定されない。例えば、この発明の実施の形態に従って変換器に使用される画像リジェクトミクサはまた所望の成分を減衰させるために、ロウパスフィルタ、ハイパスフィルタまたは帯域通過フィルタを含めるようにしてもよい。（例えば図７［位相シフタ１１０とミクサ３０または４０］、図１０［位相シフタ１２０およびミクサ３０または４０］、図１１［ミクサ３０および位相シフタ１３０］および図１４「例えば位相シフタ１３０ａおよびミクサ３０］に図解するように）画像リジェクトミクサの信号径路内に実現してもよい位相シフタに接続されるミクサの種々の異なる構成間の各々は出力成分信号を形成するミクサ／位相シフタの組合せとして一般的に特徴づけてもよい。従って、この発明は上述した実施の形態に限定されることを意図したものではなく、何らかの方法でここに開示された原理および新規な特徴に一致する最も広い範囲が許容されるべきである。
【図面の簡単な説明】
【図１】
［１０１０］図１はヘテロダイン変換の回路のブロック図である。
【図２Ａ】
［１０１１］図２Ａは低側インジェクションダウンコンバージョンの代表周波数を示す図である。
【図２Ｂ】
［１０１２］図２Ｂは高側インジェクションダウンコンバージョンの代表周波数を示す図である。
【図３】
［１０１３］図３は画像リジェクトフィルタを含むヘテロダイン変換のための回路のブロック図である。
【図４】
［１０１４］図４は画像リジェクトミクサ１００のブロック図である。
【図５】
［１０１５］図５は画像リジェクトミクサ１００を含むヘテロダイン変換のための回路のブロック図である。
【図６】
［１０１６］図６はこの発明の一実施の形態に従う変換器３００のブロック図である。
【図７】
［１０１７］図７は画像リジェクトミクサ２００の実現２００ａのブロック図である。
【図８】
［１０１８］図８は位相シフタの回路図である。
【図９】
［１０１９］図９は他の位相シフタの回路図である。
【図１０】
［１０２０］図１０は画像リジェクトミクサ２００の代わりの実現２００ｂのブロック図である。
【図１１】
［１０２１］図１１は画像リジェクトミクサの代わりの実現２００ｃのブロック図である。
【図１２】
［１０２２］図１２は画像リジェクトミクサ２００の代わりの実現２００ｄのブロック図である。
【図１３】
［１０２３］図１３は画像リジェクトミクサ２００の代わりの実現２００ｅのブロック図である。
【図１４】
［１０２４］図１４は画像リジェクトミクサ２００の代わりの実現２００ｆのブロック図である。
【図１５】
［１０２５］図１５はこの発明の代わりの実施の形態に従う変換器３０のブロック図である。
【図１６】
［１０２６］図１６はこの発明の一実施の形態に従う変換器に使用するのに適した直交信号発生器６００ａのブロック図である。
【図１７】
［１０２７］図１７はこの発明の一実施の形態に従う変換器に使用するのに適した直交信号発生器６００ｂのブロック図である。
【図１８】
［１０２８］図１８はこの発明の一実施の形態に従う変換器３２０のブロック図である。
【図１】
2004536471.tif 000003
【図２Ａ】
2004536471.tif 000004
【図２Ｂ】
2004536471.tif 000005
【図３】
2004536471.tif 000006
【図４】
2004536471.tif 000007
【図５】
2004536471.tif 000008
【図６】
2004536471.tif 000009
【図７】
2004536471.tif 000010
【図８】
2004536471.tif 000011
【図９】
2004536471.tif 000012
【図１０】
2004536471.tif 000013
【図１１】
2004536471.tif 000014
【図１２】
2004536471.tif 000015
【図１３】
2004536471.tif 000016
【図１４】
2004536471.tif 000017
【図１５】
2004536471.tif 000018
【図１６】
2004536471.tif 000019
【図１７】
2004536471.tif 000020
【図１８】
2004536471.tif 000021
【国際公開パンフレット】
2004536471.tif 000022
2004536471.tif 000023
2004536471.tif 000024
2004536471.tif 000025
2004536471.tif 000026
2004536471.tif 000027
2004536471.tif 000028
2004536471.tif 000029
2004536471.tif 000030
2004536471.tif 000031
2004536471.tif 000032
2004536471.tif 000033
2004536471.tif 000034
2004536471.tif 000035
2004536471.tif 000036
2004536471.tif 000037
2004536471.tif 000038
2004536471.tif 000039
2004536471.tif 000040
2004536471.tif 000041
2004536471.tif 000042
2004536471.tif 000043
2004536471.tif 000044
2004536471.tif 000045
2004536471.tif 000046
2004536471.tif 000047
2004536471.tif 000048
2004536471.tif 000049
2004536471.tif 000050
2004536471.tif 000051
2004536471.tif 000052
2004536471.tif 000053
2004536471.tif 000054
2004536471.tif 000055
2004536471.tif 000056
2004536471.tif 000057
2004536471.tif 000058
【国際公開パンフレット（コレクトバージョン）】
2004536471.tif 000059
【国際調査報告】
2004536471.tif 000060
2004536471.tif 000061
2004536471.tif 000062